(57)【要約】【課題】  ブラジャーのカップ部裏面側全体或いはカップ部裏面側の下半部のみを覆うようにパッド収納用ポケットを有するブラジャーが種々みられるが、バストのボリュームアップ効果を強調したり、或いは控えめにしたい場合は、大型或いは小型のパッド収納用ポケットを有するブラジャーを２種類のパターン、常に準備しておく必要があり、従って保管上或いは着用性に煩わしさを伴うなどの課題があった。【解決手段】  ブラジャーのカップ部裏面側全体或いはカップ部裏面側の下半部を覆うようにした大小２個のパッド収納用ポケットをカップ部裏面側に夫々設け、且つパッド収納用ポケットのいずれかに折り畳み自在なパッドを収納自在に設け、好みに応じてバストのボリュームアップを調整可能にし、且つ装着性や機能性に富み、着用感を著しく向上せしめたパッド付きブラジャーに関するものである。【選択図】図２
2006193861.tif 000002
【特許請求の範囲】
【請求項１】
カップ部、土台部、バック部、及び肩紐からなるブラジャーにおいて、カップ部裏面側全体を覆うようにした大型のパッド収納用ポケット及びカップ部裏面側の下方部を覆うようにした小型のパッド収納用ポケットを設けて構成したことを特徴とするパッド付きブラジャー。
【請求項２】
カップ部裏面側の下方部を覆うように小型のパッド収納用小型ポケットをカップ裏側に配設し、さらに前記小型のパッド収納用小型ポケットを内包するようにカップ部裏面側全体を覆うようにしたパッド収納用大型ポケットをカップ裏側に配設したことを特徴とする請求項１記載のパッド付きブラジャー。
【請求項３】
カップ部裏面側全体を覆うようにしたパッド収納用大型ポケットの外面にカップ部裏面側の下方部を覆うようにしたパッド収納用小型ポケットを配設したことを特徴とする請求項１記載のパッド付きブラジャー。
【請求項４】
カップ部裏面側全体を覆うようにしたパッド収納用大型ポケットのカップ側にカップ部裏面側の下方部を覆うようにしたパッド収納用小型ポケットを配設したことを特徴とする請求項３記載のパッド付きブラジャー。
【請求項５】
パッド収納用ポケット内に収容されるパッドが、上側パッドおよび下側パッドとして折り曲げ可能な折り曲げ部を有し折り畳み自在なパッドを形成するように構成したことを特徴とする請求項１記載〜請求項４記載のパッド付きブラジャー
【請求項６】
パッド収納用ポケット内に収容されるパッド本体部が表生地、ポリウレタンフォーム、裏生地を重ねパッド本体および折り曲げ部を熱圧着モールド加工により形成されたことを特徴とする請求項５に記載のパッド付きブラジャー。
【請求項７】
パッド付きブラジャーのブラジャー部が、水着、ブラスリップ、キャミソール等から選ばれたものであることを特徴とする請求項１〜請求項７のいずれかに記載のパッド付きブラジャー。
【発明の詳細な説明】
【技術分野】
【０００１】
本発明は、カップ部裏面側全体及びカップ部裏面側下方部を覆うようにした大小２個のパッド収納用ポケット部をカップ部裏面側に設け、且つ同ポケット内に折畳み自在なパッドを収納自在に設け、バストのボリュームアップを好みに応じて調整可能にしたパッド付きブラジャーに関するものである。
【背景技術】
【０００２】
従来、ブラジャーのカップ部裏面側にパッド収納用ポケット部を設ける際、カップ部裏面側全体を覆うようにしたパッド収納用ポケット部を設けたものや、或いはカップ部裏面側の下方部を覆うようにしたパッド収納用ポケット部を設けたブラジャーが見られるが、バストのボリュームアップを強調したり、或いは控えめにしたい場合は、上記パッド収納用ポケット部が、夫々大又は小のポケットの形状に形成された２種類のパターンのブラジャーを常に準備、保管しておく必要があり、従って保管や着用性の点で、取扱いが煩雑で、不便になるなどの欠点があった。
【０００３】
【特許文献１】特開平９−４１２０７号及び特開平１１−２２９２０６号公報
【発明の開示】
【発明が解決しようとする課題】
【０００４】
解決しようとする問題点は、ブラジャーのカップ部裏面側にパッド収納用ポケットを設ける際、カップ部裏面側全体又はカップ部裏面側の下方部を覆うようにしたパッド収納用ポケットを設けたものが見られるが、バストのボリュームアップを強調したり、或いは控えめにしたい場合は、上記パッド収納用ポケットの大きさや形状が異なった２種類のパターンのブラジャーを常に準備しておく必要があり、従って保管や携帯などに不便であり、また着用が煩雑で、煩わしさを伴うなどの欠点があった。
【課題を解決するための手段】
【０００５】
本発明は、カップ部裏面側全体及びカップ部裏面側の下方部を覆うようにした大小２個のパッド収納用ポケットを夫々設け、且つパッド収納用ポケットのいずれかに折り畳み自在なパッドを収納可能に設け、好みに応じてバストのボリュームアップを調整可能にし、且つ装着や収納性を容易にし、着用感を著しく向上せしめたパッド付きブラジャーが得られるように構成したことを特徴とするものである。
【発明の効果】
【０００６】
本発明では、カップ部裏面側全体及びカップ部裏面側下方部を覆うようにした大小２個のパッド収納用ポケットを夫々設け、且つ同ポケットのいずれかに折り曲げ自在なパッドを収納自在に設けることにより、バストの膨らみを全体的に強調したい場合には、折り曲げ自在なパッドを展開した状態で、同展開状パッドを大型ポケット内に収納し、またバストの下方部のみの膨らみを強調したい場合には、折り曲げ自在なパッドを互いに内側に重合状に折り曲げた状態で、同重合状パッドを小型ポケット内に収納し、このようにバスト全体又はバストの下方部のみの膨らみを強調しようとする場合、バストの膨らみを好みに応じて調整可能にできる効果が得られるのである。また大小２個のポケットを夫々設け、且つパッド収納部のいずれかに折り曲げ自在なパッドを装着可能としたことにより、一個のブラジャーにてバストの膨らみを二段階に調整することができ、ブラジャーの保管や取扱いの面で便利であり、且つ装着性や機能性に富み、外観や着用感に優れたブラジャー得られるのである。
【発明を実施するための最良の形態】
【０００７】
本発明は、カップ部裏面側全体及びカップ部裏面側の下方部を覆うようにした大小２個のパッド収納用ポケットを夫々設け、且つ折り畳み自在なパッドを収納可能に設け、好みに応じてバストのボリュームアップを調整可能にし、且つ装着や収納性が容易で、着用感を著しく向上せしめたパッド付きブラジャーが得られるようにしたものである。
以下、本発明の実施例について図例と共に説明する。
【０００８】
１はブラジャーで、２はカップ部、５はカップ用表生地、７はカップ体で上側及び下側カップ体８、９から形成され、且つ同カップ体８、９は、夫々表裏の被覆用生地１０、１１及びポリウレタンフォーム１２から形成されており、同生地１０、１１間に同ポリウレタンフォーム１２を介在させて周知の手段で一体的に熱圧着せしめてカップ体８、９を夫々形成するようにしてある。１５は、上側及び下側カップ体８、９を接続、縫着するための横方向縫着部で、テープ生地１７により接続、縫着１５して横方向縫着部１５が、形成されるようにしてある。
【０００９】
２０は土台部、２１はバック部、２３は肩紐、２５はカップ部２の下辺縁部に設けたワイヤー、３０はカップ部２の上辺縁部に設けた縫着部で、カップ用表生地５と上側カップ体８の上辺縁部を夫々一体的に縫着３０してあり、３２は土台部２０とバック部２１の下辺部に夫々一体的に縫着３３して設けた細幅テープ生地、３５は細幅筒状生地で同生地３５内にワイヤー２５を挿入してあり、且つ細幅筒状生地３５を下側カップ体９の下方周縁部に縫着３６するようにしてある。３８は下側カップ体９の下方縁部に設けた縫着部で、土台部２０の上方端縁部及びカップ用表生地５並びに下側カップ体９の下辺縁部を夫々一体的に縫着３８するようにしてある。
【００１０】
５０はカップ体７裏面側の大半を覆うようにしたパッド収納用大型ポケットであり、５２は下側カップ体９裏面側に設けたパッド収納用小型ポケットで、同ポケット５０、５２内には、夫々後述の如き折り曲げ自在なパッドを収納自在となるようにしてある。尚、上記カップ体７裏面側及び下側カップ体９裏面側を覆うようにした大小のポケット５０、５２の被覆用生地５４、５５としては、夫々伸縮自在なメリヤス生地や経編生地等の伸縮性生地で構成するようにしてあり、また５７、５８は夫々大小のポケット部５０、５２の開口部である。尚、前記大型ポケット５０は、図４の如く、小型ポケット５２の外側面に位置すると共に、同ポケット５２を内包するように設けてある。
【００１１】
また小型ポケット５２における被覆用生地５５の上辺部は、前記横方向縫着部１５の部位で一体的に縫着１５されており、且つ同被覆用生地５５の下辺縁部は、前記下側カップ体９の下方縫着部３６において一体的に縫着３６されるようにしてある。更に大型ポケット５０における被覆用生地５４の上辺部は、前記カップ部２の上辺部に設けた縫着部３０の部位で一体的に縫着３０されており、且つ同被覆用生地５４の下辺部は、下側カップ体９の下方縫着部３６において一体的に縫着３６されるようにしてある。
【００１２】
図４において、７０は大型ポケット部５０内に収納した楕円状のパッドで、しかも折り畳み自在で拡開した状態の展開状のパッドで、同展開状パッド７０は、展開状態の上側及び下側パッド７２、７３から一体的に形成されると共に、上側パッド７２は、前記上側カップ体８裏面側に対応した位置に位置するようにしてあり、一方下側パッド７３は、前記下側カップ体９裏面側に対応した位置に位置するようにしてある。また前記パッド７２、７３は、図７の如く、夫々表裏の被覆用生地７５、７６及び断面が楕円形状のポリウレタンフォーム７７、７８から形成されており、且つ被覆用生地７５、７６としては、ポリエステル系合成繊維によるラッセル編地を使用するようにしている。また被覆用生地７５、７６の間に大きさの異なる２枚の前記ポリウレタンフォーム７７、７８、即ち前記上側カップ体８裏面側に対応した位置にポリウレタンフォーム７７を位置するようにしてあり、一方、前記下側カップ体９裏面側に対応した位置にポリウレタンフォーム７８を位置させ、これらのポリウレタンフォーム７７、７８を直列状に配置し、且つ被覆用生地７５、７６と共に、これらを一体的に熱圧着してパッド７２、７３を夫々形成するようにしてある。
【００１３】
８０は前記の如き直列状に配置したポリウレタンフォーム７７、７８間の間隙部で、同部位は、前記熱圧着により, 表裏の被覆用生地７５、７６の編地が互いに直接、溶融し合って固着され、溶着による折り曲げ部８１が形成されるようにしてある。尚、
同折り曲げ部８１を介して図８の如く、上側及び下側パッド７２、７３を互いに内側に折り曲げることにより、図９の如く、内側に折り畳まれた重合状パッド８３が得られるのである。また８５、８６は夫々楕円状の展開状パッド７０を形成する表裏の被覆用生地７５、７６の周辺端縁部で、８７は同端縁部７５、７６の重合縫着部である。
【００１４】
なお、図４の如く、上側及び下側パッド７２、７３が折り畳まれることなく、開放された状態の展開状パッド７０を大型ポケット５０内に収納した場合は、上側カップ体８裏面側に上側パッド７２が当接し、また下側カップ体９裏面側では下側パッド７３が当接し、このことにより、展開状パッド７０を介してバスト全体に豊かな膨らみを付与することができ、立体的なブラジャーが得られるのである。また前記上側及び下側パッド７２、７３が、互いに折り畳まれ、且つ重合状態にある重合状パッド８３を図９の如く、下側カップ体９裏面側に設けた小型ポケット部５２内に収納することにより、バストの下側部位に豊かな膨らみを付与することができるのである。
【００１５】
更に図１１及び図１２の場合は、パッド収納用大型ポケット５０の表面上に小型ポケット５２を重合して設けた他の実施例を示したもので、大型ポケット５０の被覆用生地５４の表面上に小型ポケット５２の被覆用生地５５を重合した状態で、同生地５５の上方端縁部９０と大型ポケット部５０の被覆用生地５４とを重合、縫着９２したものである。一方小型ポケット５２の被覆用生地５５の下辺縁部は、下側カップ体９の下方縫着部３６において一体的に縫着３６されるようにしてある。なお、展開状の上側及び下側パッド７２、７３で形成された展開状パッド７０を大型ポケット５０内に収納することにより、前述と同様にバスト全体に豊かな膨らみを付与することができるのである。また上側及び下側パッド７２、７３が互いに内側に折り畳まれた重合状パッド８３を小型ポケット５２内へ収納した場合も前述同様に、バストの下側部位に豊かな膨らみを付与することができるのである。
【産業上の利用可能性】
【００１６】
本発明によるパッド付きブラジャーにおいて、ブラジャー部が水着やブラスリップ、キャミソール、ボデイスーツ、カップ付きドレス等に容易に適用可能なものである。
【図面の簡単な説明】
【００１７】
【図１】本発明の実施例におけるブラジャーの概略正面図である。
【図２】本発明の実施例におけるブラジャーの概略背面図である。
【図３】本発明の実施例における一部切欠きによるカップ部の拡大背面図である。
【図４】図２のＸ−Ｘ断面図である。
【図５】本発明の実施例における折り畳み自在なパッドの概略斜視図である。
【図６】本発明の実施例における折り畳み自在なパッドの概略底面図である。
【図７】図５のＹ−Ｙ断面図である。
【図８】本発明の実施例における折り畳み自在なパッドを内側に折り畳んだ状態の概略断面図である。
【図９】本発明の実施例において、折り畳み自在なパッドを内側に折り畳んだ状態でパッド収納用小型ポケット内に収納した状態の概略断面図である。
【図１０】本発明の実施例において、折り畳み自在なパッドを内側に折り畳んだ状態のパッドの概略斜視図である。
【図１１】本発明の他の実施例において、パッド収納用大型ポケットの外面側にパッド収納用小型ポケットを重合、縫着した状態を示した一部切欠きによるカップ部の拡大背面図である。
【図１２】図１１のＺ−Ｚ断面図である。
【符号の説明】
【００１８】
１    ブラジャー
２    カップ部
７    カップ体
５０    パッド収納用大型ポケット
５２    パッド収納用小型ポケット
７０    展開状パッド
７３    重合状パッド
【図１】
2006193861.tif 000003
【図２】
2006193861.tif 000004
【図３】
2006193861.tif 000005
【図４】
2006193861.tif 000006
【図５】
2006193861.tif 000007
【図６】
2006193861.tif 000008
【図７】
2006193861.tif 000009
【図８】
2006193861.tif 000010
【図９】
2006193861.tif 000011
【図１０】
2006193861.tif 000012
【図１１】
2006193861.tif 000013
【図１２】
2006193861.tif 000014